(57)【要約】【課題】読取ユニットの密閉性を向上させた自動原稿搬送装置及び原稿読取装置を提供する。【解決手段】自動原稿搬送装置（ＡＤＦ）は、湾曲状の原稿搬送経路と、原稿搬送経路の内側に配置された縮小光学系の第２スキャナユニット６０と、を備える。第２スキャナユニット６０は、スキャナフレーム１２と、中継基板７０と、を備える。スキャナフレーム１２は、第２スキャナユニット６０の内外を仕切るように構成されている。中継基板７０はスキャナフレーム１２に取り付けられる。中継基板７０の内側の面には内部ハーネス７１が接続され、外側の面には外部ハーネス７２が接続されている。【選択図】図３
2009260476.tif 000002
【特許請求の範囲】
【請求項１】
Ｕ字状の原稿搬送経路と、
前記原稿搬送経路の内側に配置された縮小光学系の読取ユニットと、
を備え、
前記読取ユニットは、
当該読取ユニットの内外を仕切るフレームと、
前記フレームに取り付けられ、内側の面に内部ハーネスを接続可能であり、外側の面に外部ハーネスを接続可能である中継基板と、
を備えることを特徴とする自動原稿搬送装置。
【請求項２】
請求項１に記載の自動原稿搬送装置であって、
前記フレームの内部において前記中継基板の近傍に配置された内部基板と、
前記フレームの外部において前記中継基板の近傍に配置された外部制御基板と、
を備え、
前記内部ハーネスは、前記内部基板と前記中継基板を接続可能であり、
前記外部ハーネスは、前記中継基板と前記外部制御基板を接続可能であることを特徴とする自動原稿搬送装置。
【請求項３】
請求項２に記載の自動原稿搬送装置であって、
前記内部基板から見たときに、前記中継基板は前記外部制御基板と同じ側に配置されることを特徴とする自動原稿搬送装置。
【請求項４】
請求項１から３までの何れか一項に記載の自動原稿搬送装置であって、
前記外部ハーネスは前記中継基板に対して着脱可能であることを特徴とする自動原稿搬送装置。
【請求項５】
請求項１から４までの何れか一項に記載の自動原稿搬送装置であって、
前記中継基板と前記フレームとの間にはシール部材が備えられていることを特徴とする自動原稿搬送装置。
【請求項６】
請求項５に記載の自動原稿搬送装置であって、
前記中継基板には、前記内側の面と前記外側の面を電気的に接続するスルーホールが形成されており、
前記スルーホールは、前記シール部材と対応する位置に形成されていることを特徴とする自動原稿搬送装置。
【請求項７】
請求項１から６までの何れか一項に記載の自動原稿搬送装置であって、
前記内部ハーネスと前記外部ハーネスの種類が異なることを特徴とする自動原稿搬送装置。
【請求項８】
請求項１から７までの何れか一項に記載の自動原稿搬送装置を備えることを特徴とする原稿読取装置。
【発明の詳細な説明】
【技術分野】
【０００１】
本発明は、主要には、所定の原稿搬送経路に沿って原稿を搬送する自動原稿搬送装置の構成に関する。
【背景技術】
【０００２】
従来から、イメージセンサによって原稿を読み取る構成の原稿読取装置が知られている。例えば特許文献１は、イメージスキャナ装置、ファクシミリ装置、コピー機等の原稿読取装置において、フレキシブルケーブルによって画像処理装置本体とイメージセンサを接続し、原稿画像情報の読み取りを行う構成を開示する。特許文献１の読取装置は、ブック方式のスキャナにおいて、密着型イメージセンサに接続するハーネスを途中で中継する構成になっている。
【特許文献１】特開平８−１９５８６０号公報
【発明の開示】
【発明が解決しようとする課題】
【０００３】
ところで、原稿読取装置の構成としては、上記特許文献１の密着型イメージセンサを使用する方式のほか、複数のミラーとレンズによって光束の反射と集約を繰り返し、原稿からの光をイメージセンサへ導く、縮小光学系と呼ばれる原稿読取方式も従来から広く採用されている。この縮小光学系を採用した原稿読取装置においては、内部の光学部品（ミラー、レンズ、イメージセンサ等）に異物が付着すると読取画質が低下する原因となるため、装置の内部に異物が侵入しないように対策することが強く望まれている。
【０００４】
そして、上記の縮小光学系を採用するとともにＡＤＦ（オートドキュメントフィーダ、自動原稿搬送装置）を備えた原稿読取装置においては、Ｕターン状の原稿搬送経路の内部に縮小光学系の読取ユニットを配置する構成が採用されることがある。この構成は前述の特許文献１のブックスキャナとは異なり、原稿搬送経路を搬送される原稿からの紙粉に読取ユニットが直接さらされるため、当該読取ユニットには更に厳しい密閉性が要求される。
【０００５】
しかし、上記の読取ユニットは、ＡＤＦの内部にいわば独立した状態で配置されるので、原稿読取装置本体に対してイメージセンサからのデータを送信するために外部接続用のハーネスを設ける必要がある。そして、このハーネスの取出しのためにフレームに取出孔を形成すると、当該読取ユニットの密閉性が損なわれ、異物の侵入を許してしまう。
【０００６】
異物の侵入を防止するには、例えば、前記ハーネスの取出孔にスポンジなどを詰めることが考えられる。しかしながら、単純に詰め物を配置するだけでは密閉性を良好かつ確実に実現することは難しく、この点で改善の余地が残されていた。
【０００７】
また、読取ユニット内の配線には、光軸を邪魔しにくくコンパクトなフラットケーブルが用いられることがある。この場合、リボン状のケーブルの周囲を確実にシールすることは丸ケーブルと比較しても更に困難になっていた。
【０００８】
本願発明は以上の事情に鑑みてされたものであり、その主要な目的は、読取ユニットの密閉性を向上させた自動原稿搬送装置及び原稿読取装置を提供することにある。
【課題を解決するための手段及び効果】
【０００９】
本発明の解決しようとする課題は以上の如くであり、次にこの課題を解決するための手段とその効果を説明する。
【００１０】
本発明の観点によれば、以下の構成の自動原稿搬送装置が提供される。即ち、この自動原稿搬送装置は、Ｕ字状の原稿搬送経路と、前記原稿搬送経路の内側に配置された縮小光学系の読取ユニットと、を備える。そして前記読取ユニットは、フレームと、中継基板と、を備える。前記フレームは、当該読取ユニットの内外を仕切るように構成されている。前記中継基板は前記フレームに取り付けられ、内側の面に内部ハーネスを接続可能であり、外側の面に外部ハーネスを接続可能である。
【００１１】
これにより、フレームの密閉性を維持しつつ、フレーム内の電気回路と中継基板を介して信号をやり取りすることができる。従って、異物をフレーム内部に侵入しにくくできるので、読取画質を長期間にわたって良好に維持し、必要なメンテナンスの頻度が少ない自動原稿搬送装置を提供することができる。
【００１２】
前記の自動原稿搬送装置においては、以下の構成とすることが好ましい。即ち、この自動原稿搬送装置は、内部基板と、外部制御基板と、を備える。前記内部基板は、前記フレームの内部において前記中継基板の近傍に配置される。前記外部制御基板は、前記フレームの外部において前記中継基板の近傍に配置される。前記内部ハーネスは、前記内部基板と前記中継基板を接続可能である。前記外部ハーネスは、前記中継基板と前記外部制御基板を接続可能である。
【００１３】
これにより、外部制御基板と内部基板とを繋ぐための内部ハーネス及び外部ハーネスの長さを短くすることができるので、ノイズが入りにくくなり、読取画質が一層向上する。
【００１４】
前記の自動原稿搬送装置においては、前記内部基板から見たときに、前記中継基板は前記外部制御基板と同じ側に配置されることが好ましい。
【００１５】
これにより、外部制御基板と内部基板とを繋ぐための内部ハーネス及び外部ハーネスの経路が簡素化されるので、製造コストを低減できる。
【００１６】
前記の自動原稿搬送装置においては、前記外部ハーネスは前記中継基板に対して着脱可能であることが好ましい。
【００１７】
これにより、必要に応じて外部ハーネスを取り外すことで、外部ハーネスが読取ユニットの外部に垂れ下がって邪魔になることがなくなり、組立作業等が容易になる。また、読取ユニットを取り外し易くなるので、メンテナンス性が向上する。
【００１８】
前記の自動原稿搬送装置においては、前記中継基板と前記フレームとの間にはシール部材が備えられていることが好ましい。
【００１９】
これにより、フレームの密閉性が更に向上するため、読取画質を更に長期にわたって良好に維持することができる。
【００２０】
前記の自動原稿搬送装置においては、以下の構成とすることが好ましい。即ち、前記中継基板には、前記内側の面と前記外側の面を電気的に接続するスルーホールが形成されている。前記スルーホールは、前記シール部材と対応する位置に形成されている。
【００２１】
これにより、基板の内側の面と外側の面を電気的に接続しつつ、フレームの密閉性を向上させることができる。
【００２２】
前記の自動原稿搬送装置においては、前記内部ハーネスと前記外部ハーネスの種類が異なることが好ましい。
【００２３】
これにより、フレームの内側と外側で、配置スペースやコスト等を考慮してそれぞれ最適な種類のハーネスを使用することができ、ハーネスの柔軟な設計が可能になる。
【００２４】
本発明の別の観点によれば、前記の自動原稿搬送装置を備える原稿読取装置が提供される。
【００２５】
これにより、フレームの密閉性を維持しつつ、フレーム内の電気回路と中継基板を介して信号をやり取りすることができる。従って、異物がフレーム内部に侵入しにくくなる結果、読取画質を長期間にわたって良好に維持し、必要なメンテナンスの頻度が少ない原稿読取装置を提供することができる。
【発明を実施するための最良の形態】
【００２６】
以下、本発明の好適な実施形態について図面を参照しながら説明する。図１は本発明の一実施形態に係る原稿読取装置としてのイメージスキャナ装置１０を含むコピーファクシミリ複合機（複合機）２０の外観斜視図である。図２はイメージスキャナ装置１０の正面断面図である。
【００２７】
図１に示すように、コピーファクシミリ複合機２０は、ブックスキャナ及びオートドキュメントフィードスキャナとして機能するイメージスキャナ装置１０を備える。また、複合機２０は、コピー部数、ファクシミリ送信先及び原稿読取等を指示するための操作パネル７７と、記録媒体としての用紙に画像を形成する画像形成部等を内蔵した本体７８と、前記用紙を順次供給する給紙カセット７９と、を備えている。前記本体７８は、通信回線を介して画像データを伝送するための図略の送受信部を備える。
【００２８】
前記複合機２０が備えるイメージスキャナ装置１０は、図２に示すように、プラテンガラス２２と原稿台カバー２１とを備えている。この原稿台カバー２１には自動原稿搬送装置（オートドキュメントフィーダ、ＡＤＦ）２５が備えられている。また、イメージスキャナ装置１０は、原稿の画像を読み取るための第１スキャナユニット５０及び第２スキャナユニット６０（読取ユニット）を備えている。
【００２９】
このイメージスキャナ装置１０をオートドキュメントフィードスキャナとして使用する場合は、前記ＡＤＦ２５によって原稿を１枚ずつ搬送する。そして、原稿の表側の面（第１面）の画像は第１スキャナユニット５０によって読み取られ、裏側の面（第２面）の画像は第２スキャナユニット６０によって読み取られる。
【００３０】
一方、イメージスキャナ装置１０をブックスキャナとして使用する場合は、読み取るべきブック原稿をユーザがプラテンガラス２２上に載置して、その上から原稿台カバー２１によって押圧し、ブック原稿が動かないように固定する。この状態で、第１スキャナユニット５０によって原稿の画像を読み取ることができるようになっている。
【００３１】
図２に示すように、前記原稿台カバー２１が備えるＡＤＦ２５は、原稿台カバー２１の上部に設けられた原稿トレイ２３と、この原稿トレイ２３の下方に設けられた排出トレイ２４と、を備える。
【００３２】
図２に示すように、前記原稿台カバー２１の内部には、原稿トレイ２３と排出トレイ２４とを繋ぐ湾曲状（横向きＵ字状）の原稿搬送経路３０が構成されている。この構成で、原稿トレイ２３に重ねてセットされた原稿は、１枚ずつ分離されて湾曲状の前記原稿搬送経路３０に沿って搬送され、排出トレイ２４へ排出される。原稿の読取の開始等の指示は、図１に示す操作パネル７７によって行うことができる。
【００３３】
次に、原稿搬送経路３０に沿って、ＡＤＦ２５の各部の構成を詳細に説明する。
【００３４】
図２に示すように、原稿トレイ２３から原稿搬送経路３０に原稿が供給される箇所にはピックアップローラ３１が配置されている。このピックアップローラ３１の下流側には分離ローラ３２が備えられ、この分離ローラ３２に対向して対向ローラ３７が配置されている。ピックアップローラ３１は原稿トレイ２３上の最上層の原稿を繰り込み、下流の分離ローラ３２へ向かって搬送する。分離ローラ３２は、原稿を対向ローラ３７との間でニップしながら駆動することで、原稿を１枚ずつ分離し、更に下流側へ搬送する。
【００３５】
分離ローラ３２の下流側には、レジストローラ３９と、このレジストローラ３９と対になる対向ローラと、が配置されている。レジストローラ３９は前記対向ローラとともに、分離ローラ３２によって搬送されてくる原稿の先頭側を一時的に止めて弛ませ、所定時間後に弛みを除去しつつ下流側に搬送する。これにより、原稿の斜行が矯正される。
【００３６】
レジストローラ３９の下流側には、複数の搬送ローラ３３，３４，３５が設けられる。また、この搬送ローラ３３，３４，３５のそれぞれに対向するようにローラが配置されている。前記レジストローラ３９の駆動によって下流側へ搬送された原稿は、搬送ローラ３３，３４，３５とそれらに対向するローラとによりニップされて、更に下流側へ搬送される。
【００３７】
２つの搬送ローラ３４，３５の間には第１原稿読取位置８０が設定されており、この第１原稿読取位置８０を通過する原稿は、以下に説明する第１スキャナユニット５０によって走査され、読み取られる。なお、この第１原稿読取位置８０にはプラテンローラ２９が配置されている。
【００３８】
第１スキャナユニット５０について説明する。この第１スキャナユニット５０は本体７８側に設置されるとともに、ＡＤＦ２５及びプラテンガラス２２の下方に配置されている。また、この第１スキャナユニット５０は、光源５１と、反射ミラー５２，５３，５４と、集光レンズ５５と、電荷結合素子（ＣＣＤ）５６と、を備えている。光源５１は前記ＡＤＦ２５の前記第１原稿読取位置８０（又はプラテンガラス２２）に対して光を照射し、反射ミラー５２，５３，５４は原稿からの反射光を反射させる。そしてこの反射光を集光レンズ５５で収束させて、この収束光がＣＣＤ５６の部分で結像するように構成されている。
【００３９】
第１スキャナユニット５０の光源５１及び反射ミラー５２等は移動可能に構成されている。前述したようにイメージスキャナ装置１０をブックスキャナとして使用する場合は、第１スキャナユニット５０の光源５１及び反射ミラー５２等をプラテンガラス２２に沿って移動させる。これによって、プラテンガラス２２上に載置された原稿を走査できるようになっている。
【００４０】
イメージスキャナ装置１０をオートドキュメントフィードスキャナとして使用する場合（ＡＤＦ２５を用いて原稿を読み取る場合）について説明する。この場合、光源５１及び反射ミラー５２等は、図２に示すように、前記第１原稿読取位置８０に対向する位置まで移動させて静止させておく。この状態でＡＤＦ２５を駆動することにより、原稿搬送経路３０を搬送されて第１原稿読取位置８０を通過する原稿の表側の面を、第１スキャナユニット５０が走査して読み取ることができる。
【００４１】
第１スキャナユニット５０において、原稿からの反射光は前述のとおりＣＣＤ５６へ導かれて結像し、ＣＣＤ５６は原稿の画像情報に応じた電気信号を出力する。この信号は適宜変換処理され、複合機２０が備える画像形成部に送信される。そして、この送信された画像情報が画像形成部によって記録媒体としての用紙に転写されることで、複合機２０のコピー機能等が実現される。
【００４２】
原稿搬送経路３０において、前記第１原稿読取位置８０の下流側（搬送ローラ３５の下流側）には第２原稿読取位置９０が設定されている。この第２原稿読取位置９０を通過する原稿の裏面は、次に説明する第２スキャナユニット６０によって走査されて読み取られる。
【００４３】
第２スキャナユニット６０について説明する。この第２スキャナユニット６０は、内部の光学系を構成する部品等を保持するスキャナフレーム（フレーム）１２を備えている。このスキャナフレーム１２は、第２スキャナユニット６０の内外を仕切るように設けられるとともに、当該第２スキャナユニット６０の構成部品の外側を覆うように構成されている。
【００４４】
また、このスキャナフレーム１２の下側であって排出トレイ２４側の一部は開放可能に構成されている。この開放部は、通常時においては蓋部１３で覆われており、これによって第２スキャナユニット６０が密閉状態に保たれている。
【００４５】
スキャナフレーム１２の底部には、原稿の裏面を読み取るための読取ガラス４２が備えられる。この読取ガラス４２は、前記第２原稿読取位置９０に対応する位置に配置される。また、ＡＤＦ２５本体側に備えられた排出ローラ３６に対向する位置において、前記スキャナフレーム１２には対向排出ローラ４０が備えられている。
【００４６】
スキャナフレーム１２の内部には、第２スキャナユニット６０の構成部品が配置される。この第２スキャナユニット６０は前記第１スキャナユニット５０と同様に、光源６１と、反射ミラー６２，６３，６４，６５と、集光レンズ６７と、電荷結合素子（ＣＣＤ）５７と、を備えている。前記光源６１は前記読取ガラス４２を介して第２原稿読取位置９０に光を照射し、原稿からの反射光は反射ミラー６２，６３，６４，６５によって反射し、更に集光レンズ６７で収束してＣＣＤ５７の部分に結像する。ＣＣＤ５７は、第１スキャナユニット５０におけるＣＣＤ５６と同様に、原稿の画像情報に応じた電気信号を出力する。この信号も適宜変換処理され、複合機２０が備える画像形成部に送信される。
【００４７】
また、スキャナフレーム１２の第２原稿読取位置９０（前記読取ガラス４２）に対向するように、プラテンローラ３８がＡＤＦ２５本体部分に配置されている。この構成で、前記搬送ローラ３５により搬送された原稿がプラテンローラ３８の部分に差し掛かると、当該原稿はプラテンローラ３８により搬送されながらその裏側の面が走査されて読み取られる。
【００４８】
以上のようにして２つの原稿読取位置で表裏両面の内容を読み取られた原稿は、排出ローラ３６によって搬送され、排出トレイ２４へ排出される。このようにして、原稿搬送経路３０に原稿を１回通過させるだけで両面読取が可能な構成の、いわゆるワンパス方式のＡＤＦ２５が構成されている。
【００４９】
次に、第２スキャナユニット６０の内部と電気信号をやり取りするための構成について、図３を参照して説明する。図３は、蓋部１３を取り外した状態の第２スキャナユニット６０の斜視図である。なお、図３においては、蓋部１３を取り外して下側が開放された第２スキャナユニット６０の内部をより良く示すために、第２スキャナユニット６０は上下を逆にした状態で描かれている。
【００５０】
図３に示すように、スキャナフレーム１２の内部には、集光レンズ６７と、ＣＣＤ５７と、ＣＣＤ５７を搭載したＣＣＤ基板５８と、内部基板５９と、が配置されている。なお、図２で説明したように、スキャナフレーム１２の内部には光源６１及び反射ミラー６２，６３，６４，６５も配置されているが、図３では図示していない。
【００５１】
スキャナフレーム１２の背面１２１には貫通孔が形成され（図３においては図略）、この貫通孔を塞ぐように中継基板７０が外側から取り付けられている。この中継基板７０は内部基板５９の近傍に配置されるとともに、スキャナフレーム１２の内外を仕切るように設けられている。なお、以降の説明で、中継基板７０について単に「内側の面」及び「外側の面」というときは、スキャナフレーム１２の内側を向く面及び外側を向く面を意味するものとする。
【００５２】
中継基板７０は板状に形成されており、その内側の面と外側の面には、図略のプリントパターンがそれぞれ形成されている。そして、中継基板７０の内側の面には内部ハーネス７１の一端が接続され、この内部ハーネス７１の他端は内部基板５９に接続されている。
【００５３】
また、中継基板７０の近傍であって、当該中継基板７０から見て前記内部基板５９と反対側の位置には、外部制御基板７５が備えられている。この外部制御基板７５はＡＤＦ２５の本体側に取り付けられるとともに、当該外部制御基板７５には外部ハーネス７２が接続されている。
【００５４】
中継基板７０において、前記内部ハーネス７１が接続された面と反対側の面（外側の面）には、外部コネクタ７３が設けられている。この外部コネクタ７３には、外部ハーネス７２を取外し可能に接続することができる。
【００５５】
ＣＣＤ基板５８と内部基板５９とは、図略のリード線によって接続されている。また、中継基板７０の内側の面及び外側の面に形成されたプリントパターンは、後述のスルーホールによって電気的に接続されている。
【００５６】
以上の構成により、中継基板７０を介して、ＣＣＤ基板５８、内部基板５９及び外部制御基板７５上の回路を互いに接続することができる。即ち、集光レンズ６７によって収束させた読取原稿からの光束は、ＣＣＤ基板５８上のＣＣＤ５７によって電気信号に変換され、この電気信号は内部基板５９上の回路によってデジタルデータに変換される。そして当該デジタルデータをＡＤＦ２５本体側の外部制御基板７５に送り、適宜の処理を行うことができる。
【００５７】
このように中継基板７０を介在させて接続することにより、従来のスキャナユニットのようにスキャナフレームにハーネスを通すための取出孔を形成する必要が無いので、スキャナフレームの密閉性を向上させることができる。
【００５８】
また、本実施形態では、ＣＣＤ基板５８と内部基板５９との距離、及び内部基板５９と外部制御基板７５との距離ができるだけ短くなるように各基板が配置されている。そして、内部基板５９と外部制御基板７５とを繋ぐ配線経路上に中継基板７０が設けられている。言い換えれば、内部基板５９を基準としたときに、中継基板７０は外部制御基板７５と同じ背面側に配置されている。これにより、第２スキャナユニット６０内部の回路と外部制御基板７５とを短く簡素な経路によって接続できるので、ノイズの影響を低減でき、読取画質を向上させることができる。
【００５９】
また、本実施形態では、外部ハーネス７２が取外し可能に構成されているので、例えば第２スキャナユニット６０の組付時及びメンテナンス時などに、外部ハーネス７２を邪魔にならないように取り外すことができる。これにより、組付時及びメンテナンス時の作業性が向上する。
【００６０】
また、本実施形態では、内部ハーネス７１は光軸を邪魔しにくくコンパクトなリボン状のフラットケーブルとする一方、外部ハーネス７２は比較的安価な丸ケーブルとしている。このように、中継基板７０の内側と外側でハーネスの種類を変化させることができるので、柔軟な設計が可能である。
【００６１】
次に、前記中継基板７０の構成について、図４を参照して詳細に説明する。図４は、中継基板７０の取付部付近を拡大して概念的に示した断面図である。
【００６２】
図４に示すように、中継基板７０はスキャナフレーム１２の貫通孔８５を塞ぐように配置されるとともに、スキャナフレーム１２に対してネジ７６及びナット９４によって固定されている。
【００６３】
スキャナフレーム１２と中継基板７０との間には、中継基板７０とスキャナフレーム１２との間を封止するためのシール部材８１が設けられている。このシール部材８１は、例えばゴム又はスポンジなどの適宜の素材によって構成することができるが、気密性の高い素材を採用することが好ましい。
【００６４】
外部コネクタ７３はオス端子７３１を有しており、このオス端子７３１は、中継基板７０の外側の面に形成されている図略の外側プリントパターンに接続されている。そして、このオス端子７３１を外部ハーネス７２のメス端子７２１に差し込むことにより、外部ハーネス７２を前記外側プリントパターンと接続することができる。
【００６５】
また外部コネクタ７３は抜止めのための係止爪７３２を有しており、これを外部ハーネス７２のコネクタに形成された係合溝７２２と係合させることにより、外部ハーネス７２が意図に反して外部コネクタ７３から外れることを防止できる。また、この係止爪７３２を適宜の工具等を用いて係合溝７２２から外すことにより、外部ハーネス７２を外部コネクタ７３から取り外すことができるように構成されている。
【００６６】
内部ハーネス７１の一端は、中継基板７０の内側の面に形成されている図略の内側プリントパターンに、例えばハンダ付けによって接続されている。また、内部ハーネス７１の他端は、内部基板５９上に形成されている図略の回路に、内部コネクタ５９１を介して電気的に接続されている。
【００６７】
次に、中継基板７０の内側の面と外側の面のプリントパターンを相互に接続する構成について、図５を参照して説明する。図５はシール部材８１の配置箇所を拡大した断面図である。
【００６８】
図５に示すように、中継基板７０の内側の面には内側プリントパターン９１が、外側には外側プリントパターン９２が形成されている。なお、図５において内部ハーネス７１及び外部ハーネス７２は図示されていないが、前述のとおり、前記内側プリントパターン９１は内部ハーネス７１に接続され、外側プリントパターン９２は外部ハーネス７２に接続されている。
【００６９】
中継基板７０には、内側プリントパターン９１と外側プリントパターン９２を接続するためのスルーホール９３が形成されている。なお、図５ではスルーホール９３は１つのみ図示されているが、このスルーホール９３は、内側プリントパターン９１と外側プリントパターン９２の回路に対応して、中継基板７０上に複数形成されている。このスルーホール９３は、ハンダ、メッキ、ハトメなど適宜の手段で形成することができる。
【００７０】
そして、このスルーホール９３は、シール部材８１が配置されている箇所に対応した位置に形成されている。即ち、図５に示すように、貫通状に形成されたスルーホール９３の内側の端部が、シール部材８１によって塞がれるように構成されている。これにより、微細な紙粉などがスルーホール９３の内部を通過してスキャナフレーム１２の内部に侵入することを防ぐことができ、密閉性が更に向上する。
【００７１】
以上に説明したように、本実施形態のＡＤＦ２５は、湾曲状の原稿搬送経路３０と、原稿搬送経路３０の内側に配置された縮小光学系の第２スキャナユニット６０と、を備える。そして第２スキャナユニット６０は、スキャナフレーム１２と、中継基板７０と、を備える。スキャナフレーム１２は、第２スキャナユニット６０の内外を仕切るように構成されている。中継基板７０は、スキャナフレーム１２に取り付けられる。また、中継基板７０の内側の面には内部ハーネス７１を接続可能であり、外側の面には外部ハーネス７２を接続可能である。
【００７２】
これにより、スキャナフレーム１２の密閉性を維持しつつ、中継基板７０を介して、スキャナフレーム１２内のＣＣＤ５７等と信号をやり取りすることができる。従って、異物がスキャナフレーム１２内部に侵入しにくくなるので、読取画質を長期間にわたって良好に維持し、必要なメンテナンスの頻度が少ないＡＤＦ２５を提供することができる。
【００７３】
また、本実施形態のＡＤＦ２５は、内部基板５９と、外部制御基板７５と、を備える。内部基板５９は、スキャナフレーム１２の内部において中継基板７０の近傍に配置される。外部制御基板７５は、スキャナフレーム１２の外部において中継基板７０の近傍に配置される。内部ハーネス７１は内部基板５９と中継基板７０を接続し、外部ハーネス７２は中継基板７０と外部制御基板７５を接続している。
【００７４】
これにより、外部制御基板７５と内部基板５９とを繋ぐための内部ハーネス７１及び外部ハーネス７２の長さを短くすることができるので、ノイズの影響を受けにくくなり、読取画質が一層向上する。
【００７５】
また、本実施形態のＡＤＦ２５において、内部基板５９から見たときに、中継基板７０は外部制御基板７５と同じ背面側に配置される。
【００７６】
これにより、外部制御基板７５と内部基板５９とを繋ぐための内部ハーネス７１及び外部ハーネス７２の経路が簡素化されるので、製造コストを低減できる。
【００７７】
また、本実施形態のＡＤＦ２５において、外部ハーネス７２は中継基板７０に対して着脱可能に構成されている。
【００７８】
これにより、必要に応じて外部ハーネス７２を取り外すことで、当該外部ハーネス７２が第２スキャナユニット６０の外部に垂れ下がることがなくなり、組立作業等が容易になる。また、第２スキャナユニット６０をＡＤＦ２５から取り外し易くなるので、メンテナンス性が向上する。
【００７９】
また、本実施形態のＡＤＦ２５において、中継基板７０とスキャナフレーム１２との間にはシール部材８１が備えられている。
【００８０】
これにより、スキャナフレーム１２の密閉性が一層向上するため、読取画質を更に長期にわたって良好に維持することができる。
【００８１】
また、本実施形態のＡＤＦ２５において、中継基板７０には、内側の面と外側の面を電気的に接続するスルーホール９３が形成されている。また、スルーホール９３は、シール部材８１と対応する位置に形成されている。
【００８２】
これにより、中継基板７０の内側の面と外側の面を電気的に接続しつつ、スルーホール９３をシール部材８１で良好にシールし、スキャナフレーム１２の密閉性を維持することができる。
【００８３】
また、本実施形態のＡＤＦ２５においては、内部ハーネス７１と外部ハーネス７２の種類が異なっている。
【００８４】
これにより、スキャナフレーム１２の内側と外側で、配置スペースやコスト等を考慮してそれぞれ最適な種類のハーネスを使用することができる。例えば、スキャナフレーム１２の内側では光軸を邪魔しにくいフラットケーブルを用い、スキャナフレーム１２の外側では安価な普通のケーブルを用いるといった使い分けが可能になる。
【００８５】
以上に本発明の好適な実施形態を説明したが、上記の構成は例えば以下のように変更することができる。
【００８６】
中継基板７０の位置はスキャナフレーム１２の背面１２１に限らず、例えば正面、上面、下面、側面等、任意の場所に配置することができる。ただし、ノイズを低減するために内部ハーネス７１及び外部ハーネス７２をなるべく短くするという観点からは、内部基板５９と外部制御基板７５とを繋ぐ位置にあることが好ましい。
【００８７】
外部制御基板７５は、内部基板５９から見て中継基板７０と同じ側（背面側）に配置する構成に代えて、例えば第２スキャナユニット６０の上方に配置するように変更することができる。ただし、この場合でもノイズを低減するという観点からは、外部ハーネス７２がなるべく短くなるように、外部制御基板７５を中継基板７０の近傍に配置することが好ましい。
【００８８】
本実施形態では、内部基板５９を介してＣＣＤ基板５８からの電気信号を外部制御基板７５に送っている。しかしながらこの構成に代えて、内部基板５９を省略し（即ち、内部基板５９の回路を外部制御基板７５側に備えさせて）、ＣＣＤ基板５８と中継基板７０を内部ハーネス７１によって直接接続する構成に変更することができる。この場合、前記ＣＣＤ基板５８が内部基板に相当する。
【００８９】
内部ハーネス７１と中継基板７０、及び内部ハーネス７１と内部基板５９の接続方法は任意である。例えば、ハンダ付けにより直接接続する構成に代えて、中継基板７０の内側の面に内部ハーネス用のコネクタを設け、これに内部ハーネスを接続する構成に変更することができる。また、内部コネクタ５９１を用いる構成に代えて、例えば内部ハーネス７１を内部基板５９に直接ハンダ付けする構成に変更することができる。
【００９０】
また、外部ハーネス７２は、外部コネクタ７３によって取外し可能とする構成に代えて、取外し不能に接続されても良い。例えば、ハンダ付けによって直付けする構成に変更することができる。ただし、メンテナンス作業時及び組付作業時の作業性を向上させる観点からは、外部ハーネス７２を中継基板７０に対して取外し可能に構成することが好ましい。
【００９１】
内部ハーネス７１及び外部ハーネス７２の種類は特に限定されず、任意の形状のケーブルを用いることができる。ただし、内部ハーネス７１としては、光軸を邪魔しにくくコンパクトであるフラットケーブルを用いることが好適である。
【００９２】
前記コピーファクシミリ複合機２０に代えて、例えば、コピー機、ファクシミリ装置等にも、上記実施形態のイメージスキャナ装置１０を適用することができる。
【００９３】
上記実施形態ではイメージスキャナ装置１０は複合機２０の一部として備えられているが、この構成に代えて、単体のイメージスキャナ装置として構成することができる。
【図面の簡単な説明】
【００９４】
【図１】本発明の一実施形態に係るコピーファクシミリ複合機の様子を示した外観斜視図。
【図２】本実施形態のイメージスキャナ装置の構成を示した正面断面図。
【図３】第２スキャナユニット内部の様子を示した斜視図。
【図４】中継基板近傍の様子を概念的に示した断面図。
【図５】シール部材近傍の様子を示した断面拡大図。
【符号の説明】
【００９５】
１２  スキャナフレーム（フレーム）
２０  複合機
２５  自動原稿搬送装置
５９  内部基板
６０  第２スキャナユニット（読取ユニット）
７０  中継基板
７１  内部ハーネス
７２  外部ハーネス
７３  外部コネクタ
７５  外部制御基板
８１  シール部材
９１  内側プリントパターン
９２  外側プリントパターン
９３  スルーホール
【図１】
2009260476.tif 000003
【図２】
2009260476.tif 000004
【図３】
2009260476.tif 000005
【図４】
2009260476.tif 000006
【図５】
2009260476.tif 000007